(57)【特許請求の範囲】
【請求項１】
電気回路図を参照して作成された器具番号毎に器具の取付位置を特定する器具情報コーディングデータと端子台から外側に接続する外部ケーブルの内容を識別可能とするケーブル符号情報および端子台から内側に接続する内部ケーブルの内容を識別可能とする線番号情報とからなる接続情報コーディングデータとのそれぞれを入力データとして取込む入力手段と、この入力手段により取り込まれた入力データと予め定めた手順に基づいて前記端子台と前記ケーブル符号と前記線番号と器具番号との接続関係を表す配線作業をする際に必要な接続図を作成する処理手段とを具備するＣＡＤ装置において、
前記ケーブル符号情報と線番号情報とから端子台へ割り付ける条件を予め端子台積み上げ条件情報として保存し、この端子台積み上げ条件情報と前記入力データのケーブル符号情報および線番号情報とに基づいて、各端子台に接続する線番号とケーブル符号とを順次割り付ける端子台自動積み上げ手段を備えることを特徴とするＣＡＤ装置。
【請求項２】
前記各端子台へ前記割り付けする全端子台の内で割り付ける範囲を指定可能とすると共に、前記割り付けする優先順位を任意に選択可能とする積み上げ条件指定手段を付加することを特徴とする請求項１記載のＣＡＤ装置。
【請求項３】
各端子台へアース端子を接続する条件を予め指定してアース端子接続条件情報を保存するアース端子指定手段と、アース端子一括指定があると前記アース端子接続条件情報と前記ケーブル符号情報と前記線番号情報とに基づいて各端子台へアース端子を割り付けする手段とを設けることを特徴とする請求項１または請求項２記載のＣＡＤ装置。
【請求項４】
各端子台へ予備端子を設ける条件を予め指定して予備端子設定条件情報を保存する予備端子指定手段と、予備端子一括指定があると前記予備端子接続条件情報と前記ケーブル符号情報と前記線番号情報とに基づいて各端子台へ予備端子を割り付けする手段とを設けることを特徴とする請求項１乃至請求項３記載のいずれかのＣＡＤ装置。
【請求項５】
各端子台へケーブル符号を割り付ける際に、割り付けるケーブル符号のケーブル芯数と対応する端子台の端子点数とから割り付けの可否を判定し、割り付けが不可のとき積み上げオーバーリスト情報を出力する積み上げオーバーリスト出力手段とを付加することを特徴とする請求項１乃至請求項４記載のいずれかのＣＡＤ装置。
【請求項６】
各端子台へケーブル符号と線番号とを割り付けた結果情報を出力する端子台積み上げ結果出力手段を付加することを特徴とする請求項１乃至請求項５記載のいずれかのＣＡＤ装置。
【発明の詳細な説明】
【０００１】
【発明の属する技術分野】
本発明は、電気回路図から制御盤、ユニット、屋内配線等の接続図を作成するＣＡＤ装置に関する。
【０００２】
【従来の技術】
図２１は、従来の接続図ＣＡＤ装置のブロック構成図を示し、接続図ＣＡＤ装置１００は、入力手段１０１、処理手段１０２、図面修正手段１０３、図面出力手段１０４、関連データ記憶手段１０５、入力データ修正手段１０６、表示手段１０７から構成されている。
【０００３】
まず、入力データとしての入力コーディングデータ１０８が入力コーディングデータ作業により作成される。これは、作業員が接続図を作成する対象の電気回路図を見ながら、器具（端子台）情報コーディングデータと接続情報コーディングデータを手作業により、作成する作業である。
【０００４】
これらの入力コーディングデータ１０８を制御盤の例で示すと、図２２および図２３のようになる。
【０００５】
図２２において、器具情報コーディングシート１は、各行につけられたシリーズ番号２、その器具をどの盤（パネル）に取り付けるかを区分するためのパネル区分３と盤内での器具取り付け位置を示す器具ロケーション４と器具１個１個につけられた器具番号５と器具の形式６とからなって、表形式で構成されている。
【０００６】
また、図２３において、接続情報コーディングシート１１は、各行につけられたシリーズ番号１２、器具番号１３と器具が電線を接続するために持っている端子の端子番号１４とその端子と盤内の器具を接続する内部線番号１５と端子台から盤外に接続される多芯化外部ケーブルのケーブル符号１６とからなって表形式で構成されている。
【０００７】
入力コーディングデータ１０８の作成作業が完了すると、次に、フロッピーディスクに入力データとしての入力コーディングデータ１０８を書き込む処理を行う。これを以後、ＦＤ変換処理１０９と称する。フロッピーディスクに収納された入力データは接続図ＣＡＤ装置１００内の入力手段１０１により取り込まれる。この取り込まれた入力データは処理手段１０２により、図２２および図２３に示す器具番号をキーとして入力データ相互間のエラーチェックが行われ、さらに、処理手段１０２により関連データ記憶手段１０５から、器具形式のマスターファイルなど、接続に関連するデータが取り出される。そして、配線距離を最短にするなど、最適の配線になるような予め定める処理手順に基づき、配線処理を行い接続図面が形成され、表示手段１０７へ表示される。
【０００８】
次に、注釈追記など、図面の修正が必要な場合は、図面修正手段１０３により修正を行い、図面完成後、図面出力手段１０４によって図面データの出力処理を行い、接続のための図面１１０を出力する。
【０００９】
【発明が解決しようとする課題】
ところで、図２１に示した従来の接続図ＣＡＤ装置１００では、入力コーディングデータ１０８の作成に多くの手間を要するという問題がある。
【００１０】
接続図ＣＡＤ装置１００に入力データを入力する場合、まず、電気回路図を見て、入力データのコーディング作業を行うが、外部ケーブルとの接続をする外部ケーブル用の端子台のコーディングを行う際、線番号やケーブル符号をどの外部ケーブル用の端子台の何番端子に割り付けるかという情報が、電気回路図から容易に得られなかった。このため、人間の判断に基づきコーディング作業を行っていたので、作業に多くの時間を要していた。
【００１１】
図２３に示す接続情報コーディングシート１１は電気回路図から直ちに作成することは困難で、例えば、図２４のように、線番号やケーブル符号をどの端子台の何番端子に接続するかを予め決めた端子台図を作成し、その端子台図に基づいて１本１本接続情報のコーディングを行って図２３に示す接続情報コーディングシート１１を作成していた。
【００１２】
このように、従来の接続図ＣＡＤ装置１００では、入力データのコーディング作業、特に、端子台データのコーディング作業に多大の時間を要し、データの入力時間が多くかかるという欠点を有していた。
【００１３】
そこで、本発明は、入力コーディングデータの作業時間を低減し、ＣＡＤ装置全体としての作業効率を向上させたＣＡＤ装置を提供することを目的とする。
【００１４】
【課題を解決するための手段】
請求項１の発明は、電気回路図を参照して作成された器具番号毎に器具の取付位置を特定する器具情報コーディングデータと端子台から外側に接続する外部ケーブルの内容を識別可能とするケーブル符号情報および端子台から内側に接続する内部ケーブルの内容を識別可能とする線番号情報とからなる接続情報コーディングデータとのそれぞれを入力データとして取込む入力手段と、この入力手段により取り込まれた入力データと予め定めた手順に基づいて端子台とケーブル符号と線番号と器具番号との接続関係を表す配線作業をする際に必要な接続図を作成する処理手段とを具備するＣＡＤ装置において、ケーブル符号情報と線番号情報とから端子台へ割り付ける条件を予め端子台積み上げ条件情報として保存し、この端子台積み上げ条件情報と入力データのケーブル符号情報および線番号情報とに基づいて、各端子台に接続する線番号とケーブル符号とを順次割り付ける端子台自動積み上げ手段を設けるようにしたものである。この手段によれば、予め保存される端子台積み上げ条件情報とケーブル符号情報および線番号情報とに基づいて順次端子台へ割り付け処理がされる。これにより、入力コーディングデータを作成するとき、別途、端子台図等を作成する手間が削減でき、作業効率を向上させることができ、正確、かつ、速く作成できる。
【００１５】
請求項２の発明は、請求項１記載のＣＡＤ装置において、各端子台へ割り付けする全端子台の内で割り付ける範囲を指定可能とすると共に、割り付けする優先順位を任意に選択可能とする積み上げ条件指定手段を付加するようにしたものである。この手段によれば、各端子台へ割り付ける範囲と優先順位の指定によって割り付け処理がされる。これによって、端子台への割り付け処理が一律でなく希望する割り付けができ、作成される接続図をより的確、かつ、信頼性のあるものとすることができる。
【００１６】
請求項３の発明は、請求項１または請求項２記載のＣＡＤ装置において、各端子台へアース端子を接続する条件を予め指定してアース端子接続条件情報を保存するアース端子指定手段と、アース端子一括指定があるとアース端子接続条件情報とケーブル符号情報と線番号情報とに基づいて各端子台へアース端子を割り付けする手段とを設けるようにしたものである。この手段によれば、アース端子一括指定があると各端子台へアース端子の割り付け処理がされる。これによって、入力コーディングデータを作成する際にアース端子を考慮する手間が削減でき作業の効率を向上させることができる。
【００１７】
請求項４の発明は、請求項１乃至請求項３記載のいずれかのＣＡＤ装置において、各端子台へ予備端子を設ける条件を予め指定して予備端子設定条件情報を保存する予備端子指定手段と、予備端子一括指定があると予備端子接続条件情報とケーブル符号情報と線番号情報とに基づいて各端子台へ予備端子を割り付けする手段とを設けるようにしたものである。この手段によれば、予備端子一括指定があると各端子台へ予備端子の割り付け処理がされる。これによって、入力コーディングデータを作成する際に予備端子を考慮する手間が削減でき作業の効率を向上させることができる。
【００１８】
請求項５の発明は、請求項１乃至請求項４記載のいずれかのＣＡＤ装置において、各端子台へケーブル符号を割り付ける際に、割り付けるケーブル符号のケーブル芯数と対応する端子台の端子点数とから割り付けの可否を判定し、割り付けが不可のとき積み上げオーバーリスト情報を出力する積み上げオーバーリスト出力手段とを付加するようにしたものである。この手段によれば、各端子台への割り付けの可否が判定され、割り付けが不可のとき積み上げオーバーリスト情報が外部へ出力される。この結果、接続図が完成する前に割り付けの再検討ができ、結果的に作業の迅速化と効率を向上させることができる。
【００１９】
請求項６の発明は、請求項１乃至請求項５記載のいずれかのＣＡＤ装置において、各端子台へケーブル符号と線番号とを割り付けた結果情報を出力する端子台積み上げ結果出力手段を付加するようにしたものである。この手段によれば、各端子台への割り付けの結果情報が得られる。従って、割り付けの結果を確認でき、不都合があれば、修正等の対処が即座にできる。
【００２０】
【発明の実施の形態】
以下、本発明の実施の形態について図面を参照して説明する。
【００２１】
図１は、本発明の第１実施の形態を示す接続図ＣＡＤ装置の構成図であって、図１において、従来例を示す図２１と同一符号は同一部分または相当部分を示し、図１の第１実施の形態は端子台自動積み上げ手段１１１を追設し、入力コーディングデータ１０８Ａのケーブル符号情報および線番号情報と予め保存される端子台積み上げ条件情報とから各端子台に線番号とケーブル符号を割り付けるようにしたことに特徴を有する。
【００２２】
ここで、端子台自動積み上げ手段１１１は、端子台へ割り付ける積み上げ条件情報とケーブル符号情報および線番号情報に基づいて、各端子台に線番号とケーブル符号とを順次割り付けるものである。
【００２３】
まず、入力コーディングデータ１０８Ａが作業員によって電気回路図を参照して作成される。この場合、入力コーディングデータ１０８Ａは図２２に示す器具情報コーディングシート１と図２に示す接続情報コーディングシート１１Ａとからなり、接続情報コーディングシート１１Ａは、シリーズ番号１２と線番号情報である線番号１５とケーブル符号情報であるケーブル符号１６とからなっており、図２４に示す端子台図を作成する必要がない。
【００２４】
次に、入力コーディングデータ１０８ＡがＦＤ変換処理１０９にてフロッピーディスクに保存された後、入力手段１０１により接続図ＣＡＤ装置１００Ａに取り込まれる。取り込まれたデータは必要に応じ、入力データ修正手段１０６により修正が行われる。
【００２５】
次に、端子台自動積み上げ手段１１１について図３を参照して説明する。
【００２６】
ここで、図３に示す端子台自動積み上げ手段１１１の端子台積み上げ条件テーブル１２０は、例えば、図４に示す回路種別グループテーブル１２０ａと図５に示す割り付け順位条件テーブル１２０ｂとからなっている。
【００２７】
図３において、前段の入力手段１０１によって入力された入力コーディングデータ１０８Ａの接続情報コーディングシート１１Ａのケーブル符号情報からケーブル芯数の生成と、ケーブル符号の識別処理１２１が行われる。ここでは、図４に示す回路種別グループテーブル１２０ａが参照されケーブル符号１６が、例えば、直流電源であれば、回路種別グループテーブル１２０ａのグループ３が識別される。
【００２８】
生成されたケーブル芯数とケーブルの回路種別をキーにして、ケーブル符号が端子台に割り付けられる。すなわち、ケーブル符号の文字列から、例えば、電源６００Ｖ以上、６００Ｖ未満、直流電源等の内どの回路種別であるかを識別される。そして、識別結果から図５に示す如くの割り付け順位条件テーブル１２０ｂが参照され、割り付け優先順位に従って、同一の回路種別のケーブルが若番順で割り付け処理１２２がされる。例えば、回路種別「１」の交流電源は割り付け条件順位「１」であり端子台の若番順にまとめて割り付けがされる。
【００２９】
次に、線番号の識別処理１２３を行い、図４に示す回路種別グループテーブル１２０ａと同様に同一ケーブル符号に属する線番号を端子台に割り付処理１２４をする。ここで、線番号の識別とは、線番号の文字列から、交流電源６００Ｖ、交流電源６００Ｖ未満、直流電源等の回路種別を識別することで、同じ回路種別の線番号にまとめて端子台へ割り付けされる。
【００３０】
このように、端子台自動積み上げ手段１１１により、入力された接続情報の中のケーブル符号が決められた割り付け規則に基づき、端子台ロケーションに必要な端子点数分、自動割り付けされる。それと同時に、同一ケーブル内の線番号は、線番号の割り付け規則に基づいて、端子台の端子番号に自動割り付けされる。なお、処理手段１０２以後、図面出力１１０までは、図２１で説明した内容と同じである。
【００３１】
本接続図ＣＡＤによると、接続図ＣＡＤ装置内で、端子台の自動積み上げ処理を行うため、入力データのコーディング段階で端子台の積み上げ順序を決める必要がなくなる。従って、図２４に示すような端子台への線番号およびケーブル符号割り付け図を入力データコーディング作業の前に作成する必要がなくなると共に、図２３の接続情報のコーディングにおいても、器具番号３および端子番号４の入力が不要になる。そのため、結果的に入力データコーディングデータ量が従来より減少され、入力データの作成効率を向上させることができる。
【００３２】
図６は、本発明の第２実施の形態を示す接続図ＣＡＤ装置の構成図である。
【００３３】
図６において、図１の接続図ＣＡＤ装置と異なる点は、端子台自動積み上げ手段１１１に、積み上げ条件指定手段１１２を付加したことである。
【００３４】
ここで、積み上げ条件指定手段１１２は、各端子台へ割り付ける全端子台の内で割り付ける範囲と割り付け優先順位とを任意に指定可能とするものである。
【００３５】
次に、積み上げ条件指定手段１１２の作用を図７を参照して説明する。
【００３６】
ここで、図７に示す端子台積み上げ条件候補テーブル１３０ａには、複数の積み上げ条件Ａ，Ｂ，Ｃ，・・・・・が予め保存されている。作業員は積み上げ条件指定手段１１２から積み上げ条件候補テーブル１３０ａの積み上げ条件Ａ，Ｂ，Ｃ，・・・・・の内から一つを指定すると、指定された条件が端子台積み上げ条件（決定）テーブル１３０ｂへ保存される。端子台自動積み上げ手段１１１では、第１実施の形態の場合と同様にして端子台への線番号とケーブル符号の割り付けを行う。
【００３７】
例えば、図８において、それぞれパネル０１筐体１３１、パネル０２筐体１３２、パネル０３筐体１３３があって、３面列番構成の制御盤とする。また、Ｔ１〜Ｔ９は端子台ロケーション１３６を示す。ここで、上記パネル単位指定とは、図８において、ハッチング部分１３４のように自動積み上げ処理を行う端子台の対象範囲をパネル（盤）単位で選択することをいう。また、端子台ロケーション指定単位とは、図８のハッチング部分１３５のように自動積み上げ処理を行う端子台の範囲を端子台ロケーション単位で指定することをいう。
【００３８】
また、図７の積み上げ条件指定手段１１２において、予め積み上げ条件候補テーブル１３０ａに端子台の自動積み上げを行う際の積み上げを開始する方向（下から上へ向かって積み上げ、上から下へ向かって積み上げ等）指定条件や、ケーブル順位の割り付け優先順の指定条件、線番号の割り付け優先順の指定条件等を保存しておけば、これらを選択して指定することができる。
【００３９】
このように端子台自動積み上げ手段１１１における積み上げ規則は、端子台自動積み上げ手段１１１の中に組み込まれた固定のものであったのに対し、積み上げ条件指定手段１１２を付加したことにより、複数の積み上げ条件候補テーブル１３０ａ（Ａ，Ｂ，Ｃ，・・・・・）の中から、ユーザーの希望する条件を積み上げ条件（決定）テーブル１３０ｂへ保存処理させることが可能である。制御盤を例にすると、自動積み上げ処理を行う端子台の対象範囲をパネル（盤）単位、端子台ロケーション単位というように指定することができる。従って、図６の接続図ＣＡＤ装置１００Ｂによると、第１実施の形態の効果に加え、積み上げ条件において作業員の意図するように変更することができる。
【００４０】
図９は、本発明の第３実施の形態を示す接続図ＣＡＤ装置の構成図である。
【００４１】
図９において、図１の接続図ＣＡＤ装置１００Ａと異なる点は、端子台自動積み上げ手段１１１にアース端子指定手段１１３を付加したことである。
【００４２】
ここで、アース端子指定手段１１３は、予め指定されたアース端子接続条件情報に基づいて各端子台へアース端子を割り付けるものである。
【００４３】
次に、アース端子指定手段１１３による処理について図１０を参照して説明する。
【００４４】
まず、端子台自動積み上げ手段１１１では、入力コーディングデータ１０８Ａを用いてケーブル芯数の生成処理とケーブル符号の識別処理１３７とがされる。ここで、ケーブル符号の識別でアース線の識別がされると、アース端子指定手段１１３に予め指定されている端子台の端子番号が参照される。アース端子指定手段１１３には各端子台におけるアース線の端子番号を指定する条件が定められている。端子台自動積み上げ手段１１１では、アース端子指定手段１１３の条件に基づいてケーブル符号を端子台へ割り付ける処理１３８を行う。そして、線番号識別処理１３９がされ、線番号を端子台へ割り付ける処理１４０がされる。
【００４５】
制御盤を例に説明すると、図１１において、それぞれパネル０１筐体１３１、パネル０２筐体１３２、パネル０３筐体１３３からなる３面列盤構成の制御盤とする。また、Ｔ１〜Ｔ９は端子台ロケーション１３６を示す。ここで、アース端子一括指定がされると、アース端子の個数と方向（下から取るか、上から取るか）の指定がされ、端子台の形式や、取り付けパネルにかかわらず、アース端子１４１が列盤一括で指定される。また、端子台自動積み上げ手段１１１では、この指定結果をふまえ、アース端子として指定された端子台の端子には、線番号やケーブル符号の積み上げを行わないように積み上げ処理を行う。上記の説明は列盤一括の指定だが、その他にも、個々の端子台についての一括指定もあり、それらが指定の優先順位に従って、各端子台へのアース端子を決定する。
【００４６】
このように第１実施の形態で説明した、端子台自動積み上げ手段１１１においては、アース端子の指定はなく、入力データコーディング作業において、図２３に示した接続情報コーディングシート１１に、各端子ごとに、線番号欄にアース端子であることの入力が必要であるのに対して、アース端子指定手段１１３を付加したことにより、接続情報コーディングシート１１上での指定が不要で、アース端子指定手段１１３によってアース端子の指定を一括で行うことができる。そして、アース端子を端子台に指定した結果を受けて、ケーブル符号を端子台に割り付ける。
【００４７】
従って、図９の接続図ＣＡＤ装置１００Ｃによると第１実施の形態の効果に加え、アース端子指定手段１１３の付加により、アース端子の指定を自動化し、端子台自動積み上げ処理を効率良く行うことができる。
【００４８】
図１２は、本発明の第４実施の形態を示す接続図ＣＡＤ装置の構成図である。
【００４９】
図１２において、図１の接続図ＣＡＤ装置１００Ａと異なる点は、端子台自動積み上げ手段１１１に予備端子指定手段１１４を付加したことである。
【００５０】
ここで、予備端子指定手段１１４は、予備端子一括指定があると、予備端子設定条件情報に基づいて各端子台へ予備端子を割り付けるものである。
【００５１】
次に、予備端子指定手段１１４の処理を図１３を参照して説明する。
【００５２】
まず、端子台自動積み上げ手段１１１では、入力コーディングデータ１０８Ａを用いてケーブル芯数の生成処理とケーブル符号の識別処理１５１とがされる。ここで、ケーブル符号の識別で予備線の識別がされると予備端子指定手段１１４に予め指定されている端子台の端子番号が参照される。予備端子指定手段１１４には各端子台における予備線の端子番号を指定する条件が定められている。端子台自動積み上げ手段１１１では、予備端子指定手段１１４の条件に基づいてケーブル符号を端子台へ割り付ける処理１５２を行う。そして、線番号識別処理１５３がされ、線番号を端子台へ割り付ける処理１５４がされる。
【００５３】
制御盤を例にして説明すると、図１４において、それぞれパネル０１筐体１３１、パネル０２筐体１３２、パネル０３筐体１３３の３面列番構成の制御盤とする。また、Ｔ１〜Ｔ９は端子台ロケーション１３６で、予備端子一括指定をすると、端子台の全端子数に対する予備端子の割合と方向（下から取るか、上から取るか）の指定がされる。図１４では、予備端子１５５が端子台の上から所定数設けられている。この方法により、列盤一括で予備端子を指定することができる。また、端子台自動積み上げ手段１１１では、この指定結果によって予備端子として指定された端子には、線番号やケーブル符号の積み上げを行わないように積み上げ処理を行う。上記の説明は列盤一括の指定だがその他にも個々の端子台での指定もあり、それらの指定の優先順位に従って、端子台の予備端子の端子番号が決定する。
【００５４】
このように第１実施の形態で説明した端子台自動積み上げ手段においては、予備端子の指定手段はなく、第２実施の形態で説明したパネル単位指定では、同一ケーブル符号が異なる端子台に跨いで接続しないという制約の元で、端子台の端子全てに、ケーブルを端子台に割り付けるという処理を行う。これに対して予備端子指定手段１１４を付加したことにより、後に追加配線を行う可能性があるなどの理由で、予備端子を設けたい場合に、その指定を一括で行うことが可能である。そして、予備端子を端子台に指定した結果を受けて、ケーブル符号を端子台に割り付ける。
【００５５】
従って、図１２の接続図ＣＡＤ装置１００Ｄによると第１実施の形態の効果に加え、予備端子指定手段１１４の付加により、予備端子の指定を自動化し、端子台自動積み上げ処理を効率良く行うことができる。
【００５６】
図１５は、本発明の第５実施の形態を示す接続図ＣＡＤ装置の構成図である。
【００５７】
図１５において、図１の接続図ＣＡＤ１００Ａと異なる点は、端子台自動積み上げ手段１１１に、積み上げオーバーリスト出力手段１１５を付加したことである。
【００５８】
ここで、積み上げオーバーリスト出力手段１１５は、割り付けるケーブル符号のケーブル芯数と端子台の端子台数とから割り付けの可否を判定し、不可のとき積み上げオーバーリスト情報を出力するものである。
【００５９】
次に、第５実施の形態の作用を図１６を参照して説明する。
【００６０】
まず、入力手段１０１から入力コーディングデータ１０８Ａが端子台自動積み上げ手段１１１へ入力される。この場合に図３の端子台積み上げ条件テーブル１２０が参照されて接続情報コーディングシート１１Ａのケーブル符号情報によってケーブル芯数とケーブル符号が識別処理１６１がされる。そして、ケーブル符号が端子台へ割り付けられる処理１６２がされる。このとき、ケーブル芯数と端子台の端子数とが参照され端子台へ対象のケープル符号が割り付けられるか否かの判定１６３がされる。そして、端子台へ対象のケーブル符号が割り付けられないと判定がされると積み上げオーバーリスト出力手段１１５へ割り付け不可が通知され積み上げオーバーのリストが外部へ出力される。
【００６１】
一方、端子台へ対象のケーブル符号が割り付けられると判定１６３がされると線番号の識別処理１６４がされ線番号を端子台に割り付けの処理１６５がされ、処理手段１０２へデータが渡される。
【００６２】
このように、積み上げオーバーリスト出力手段１１５を付加したことにより、端子台自動積み上げ処理時、ケーブル芯数と端子台の点数を考慮し、指定範囲内でケーブルを積み上げきれるかどうかの判定を行い、その結果、積み上げきれない場合には、積み上げオーバーリスト出力手段１１５によって積み上げオーバーリストを出力する。
【００６３】
図１７に、積み上げオーバーリストの出力例を示す。
【００６４】
この積み上げオーバーリスト１６６は、パネル区分１６７、ケーブル符号１６８、ケーブル芯数１６９、自動積み上げ区分１７０、積み上げ不可１７１とを表形成として、パネル（盤）単位で端子台の自動積み上げを行おうとして処理した結果、積み上げされなかったケーブル符号をＸ印（１７１）で表している。この積み上げオーバーリストの出力を参照して、作業員は端子台ロケーションを追加したり、端子台の点数を追加して、再度、端子台の積み上げ処理を実行する。
【００６５】
このように、積み上げオーバーリスト出力手段１１５を付加したことにより、端子台の自動積み上げ処理時、ケーブル芯数と端子台の端子点数を考慮し、指定範囲内でケーブルを積み上げきれるかどうかの判定を行い、その結果、積み上げきれない場合には、積み上げオーバーリスト出力手段１１５によって積み上げオーバーリストを出力する。
【００６６】
従って、図１５の接続図ＣＡＤ装置１００Ｅによると、第１実施の形態の効果に加え、積み上げオーバーリスト出力手段１１５の付加により、ケーブルが、予定した端子台に積み上げきれなかった場合、ユーザーに積み上げ条件指定の再検討を行うための資料を提供することができる。
【００６７】
図１８は、本発明の第６実施の形態を示す接続図ＣＡＤ装置の構成図である。
【００６８】
図１８において、図１の接続図ＣＡＤ１００Ａと異なる点は、端子台自動積み上げ手段１１１に、端子台積み上げ結果出力手段１１６を付加したことである。
【００６９】
ここで、端子台積み上げ結果出力手段１１６は、各端子台へケーブル符号と線番号とを割り付けた結果情報を出力するようにしたものである。
【００７０】
次に、第６実施の形態の作用を図１９を参照して説明する。
【００７１】
まず、入力手段１０１から入力コーディングデータ１０８Ａが端子台自動積み上げ手段１１１へ入力される。このとき、図３の端子台積み上げ条件テーブル１２０が参照され接続情報コーディングシート１１Ａのケーブル符号情報からケーブル芯数とケーブル符号が識別処理１７２がされる。これに伴って、ケーブル符号が端子台へ割り付ける処理１７３がされる。続いて、線番号の識別処理１７４がされ、線番号が端子台へ割り付ける処理１７５がされる。これらの処理が完了した後に、作業員によって積み上げ結果出力の選択１７６がされると端子台積み上げ結果出力手段１１６へ積み上げ結果の通知がされる。一方、作業員によって積み上げ結果出力の選択がされない場合には、処理手段１０２による通常の処理へ移行される。
【００７２】
制御盤を例にして説明する。図２０の端子台積み上げ結果リスト１７８は、接続情報１７９と器具情報１８０とケーブル符号１８１と端子番号１８２と線番号１８３とパネル区分１８４とロケーション１８５と器具番号１８６と器具形式１８７とからなる表形成で、第１実施の形態で説明した、端子台自動積み上げ手段１１１においては、端子台自動積み上げ手段１１１の後、処理手段１０２を経て、初めて図面出力１１０が出力される。
【００７３】
また、図面出力１１０には、端子台の配線だけではなく、一般器具同士の配線や、端子台から一般器具への配線も含めて出力されるので、端子台積み上げ結果を確認するには、その中から端子台の部分を選んで出力する必要があり、効率が悪かった。これに対して、図２０の端子台積み上げ結果リストを出力することによって、作業員は端子台の積み上げ結果を早い時点で必要な部分だけ確認することができる。
【００７４】
このように、端子台積み上げ結果出力手段１１６を付加したことにより、端子台自動積み上げ処理時、線番号を端子台に割り付けた後、その割り付け結果を出力するかどうかを、積み上げ結果出力選択５で選択し、出力することが可能である。
【００７５】
従って、図１８の接続図ＣＡＤ装置１００Ｆによると、第１実施の形態の効果に加え、端子台積み上げ結果出力手段１１６の付加により、端子台積み上げ処理完了後、端子台の部分のみのリストを出力し、ユーザーが積み上げ結果に対する確認を行うことができる。
【００７６】
以上の接続図ＣＡＤ装置によれば、接続図ＣＡＤ装置内の端子台自動積み上げ手段により、ユーザーの指定した条件で端子台の自動積み上げが行われるので、入力データのコーディング段階で、どの線番号をどの端子台ロケーションの何番端子に接続するかを予め決めてやる必要がなくなる。従って、結果として、端子台部データのコーディング入力の作業時間が低減でき、ＣＡＤ装置全体としての作業効率が向上する。
【００７７】
【発明の効果】
以上説明したように請求項１の発明によれば、予め保存される端子台積み上げ条件情報とケーブル符号情報および線番号情報とに基づいて順次端子台へ割り付け処理をするようにしたので、作業員が入力コーディングデータを作成するとき、別途、端子台図等を作成する手間が削減でき、作業効率を向上させることができ、正確、かつ、速く作成できる。
【００７８】
請求項２の発明によれば、各端子台へ割り付ける範囲と優先順位の指定によって割り付け処理をするので、作業員の希望する割り付けができ作成される接続図をより的確、かつ、信頼性のあるものとすることができる。
【００７９】
請求項３の発明によれば、アース端子一括指定によって、各端子台へアース端子の割り付け処理をするので、作業員が入力コーディングデータを作成する際にアース端子を考慮する手間が削減でき作業の効率を向上させることができる。
【００８０】
請求項４の発明によれば、予備端子一括指定をすると各端子台へ予備端子の割り付け処理をするので、作業員が入力コーディングデータを作成する際に予備端子を考慮する手間が削減でき作業の効率を向上させることができる。
【００８１】
請求項５の発明によれば、各端子台への割り付けの可否を判定して、割り付けが不可のとき積み上げオーバーリスト情報を外部へ出力するので、接続図が完成する前に割り付けの再検討ができ、結果的に作業の迅速化と効率を向上させることができる。
【００８２】
請求項６の発明によれば、各端子台への割り付けの結果情報を得ることができるので、割り付けの結果が確認でき、不都合があれば、修正等の措置が即座にできる。
【図面の簡単な説明】
【図１】本発明の第１実施の形態を示す接続図ＣＡＤ装置の構成図である。
【図２】図１の接続図ＣＡＤ装置で用いる入力コーディングデータを示す構成図である。
【図３】図１の接続図ＣＡＤ装置に備える端子台自動積み上げ手段の処理を示す説明図である。
【図４】図３の端子台積み上げ条件テーブルの内の回路種別グループテーブルの内容を示す説明図である。
【図５】図３の端子台積み上げ条件テーブルの内の割り付け順位条件テーブルの内容を示す説明図である。
【図６】本発明の第２実施の形態を示す接続図ＣＡＤ装置の構成図である。
【図７】図６の接続図ＣＡＤ装置に備える積み上げ条件指定手段の処理を示す説明図である。
【図８】図６の積み上げ条件指定手段によってパネル単位で端子台を自動積み上げした例を示す説明図である。
【図９】本発明の第３実施の形態を示す接続図ＣＡＤ装置の構成図である。
【図１０】図９の接続図ＣＡＤ装置に備えるアース端子指定手段の処理を示す説明図である。
【図１１】図１０のアース端子指定手段によってアース端子を端子台へ割り付けた例を示す説明図である。
【図１２】本発明の第４実施の形態を示す接続図ＣＡＤ装置の構成図である。
【図１３】図１２の接続図ＣＡＤ装置に備える予備端子指定手段の処理を示す説明図である。
【図１４】図１３の予備端子指定手段によって端子台へ予備端子を割り付けた例を示す説明図である。
【図１５】本発明の第５実施の形態を示す接続図ＣＡＤ装置の構成図である。
【図１６】図１５の接続図ＣＡＤ装置に備える積み上げオーバーリスト出力手段の処理を示す説明図である。
【図１７】図１６の積み上げオーバーリスト出力手段によって出力された積み上げオーバーリスト例である。
【図１８】本発明の第６実施の形態を示す接続図ＣＡＤ装置の構成図である。
【図１９】図１８の接続図ＣＡＤ装置に備える端子台積み上げ結果出力手段の処理を示す説明図である。
【図２０】図１９の端子台積み上げ結果出力手段によって出力された端子台積み上げ結果例である。
【図２１】従来の接続図ＣＡＤ装置を示す構成図である。
【図２２】図２１の接続図ＣＡＤ装置で用いる器具情報コーディングシートの構成図である。
【図２３】図２１の接続図ＣＡＤ装置で用いる接続情報コーディングシートの構成図である。
【図２４】図２３の接続情報コーディングシートを作成する際に必要な端子台図を示す説明図である。
【符号の説明】
１００Ａ，１００Ｂ，１００Ｃ，１００Ｄ，１００Ｅ，１００Ｆ        接続図ＣＡＤ装置
１０１    入力手段
１０２    処理手段
１０３    図面修正手段
１０４    図面出力手段
１０５    関連データ記憶手段
１０６    入力データ修正手段
１０７    表示手段
１０８    入力コーディングデータ
１０９    ＦＤ変換処理
１１０    図面
１１１    端子台自動積み上げ手段
１１２    積み上げ条件指定手段
１１３    アース端子指定手段
１１４    予備端子指定手段
１１５    積み上げオーバーリスト出力手段
１１６    端子台積み上げ結果出力手段
【図１】
0003616219.tif 000002
【図２】
0003616219.tif 000003
【図３】
0003616219.tif 000004
【図４】
0003616219.tif 000005
【図５】
0003616219.tif 000006
【図６】
0003616219.tif 000007
【図７】
0003616219.tif 000008
【図８】
0003616219.tif 000009
【図９】
0003616219.tif 000010
【図１０】
0003616219.tif 000011
【図１１】
0003616219.tif 000012
【図１２】
0003616219.tif 000013
【図１３】
0003616219.tif 000014
【図１４】
0003616219.tif 000015
【図１５】
0003616219.tif 000016
【図１６】
0003616219.tif 000017
【図１７】
0003616219.tif 000018
【図１８】
0003616219.tif 000019
【図１９】
0003616219.tif 000020
【図２０】
0003616219.tif 000021
【図２１】
0003616219.tif 000022
【図２２】
0003616219.tif 000023
【図２３】
0003616219.tif 000024
【図２４】
0003616219.tif 000025